【手続補正書】
【提出日】平成31年4月17日(2019.4.17)
【手続補正１】
【補正対象書類名】特許請求の範囲
【補正対象項目名】全文
【補正方法】変更
【補正の内容】
【特許請求の範囲】
【請求項１】
コネクタを第１の物体（１）に機械的に接続する方法であって、
−  開口部を有する第１の物体（１）を設けるステップと、
−  第１のコネクタ要素（４）、第２のコネクタ要素（５）および固体状態の熱可塑性材料を設けるステップと、
−  前記第１のコネクタ要素（４）および前記第２のコネクタ要素（５）を前記開口部に相対的に配置するステップと、
−  前記熱可塑性材料の少なくとも流動部分が流動可能になって、前記第１のコネクタ要素（４）および前記第２のコネクタ要素（５）と直接接触するまで前記第１のコネクタ要素（４）および前記第２のコネクタ要素（５）に対して相対的に流れるようになるまで、エネルギを前記熱可塑性材料に衝突させるステップと、
−  前記熱可塑性材料を再凝固させるステップとを含み、
−  再凝固した前記熱可塑性材料が、前記第１のコネクタ要素（４）と前記第２のコネクタ要素（５）とを互いに相対的にロックして、前記第１のコネクタ要素（４）、前記第２のコネクタ要素（５）および前記熱可塑性材料を含むコネクタアセンブリをもたらし、
−  前記コネクタアセンブリは、前記熱可塑性材料によって、または前記第１のコネクタ要素（４）および前記第２のコネクタ要素（５）をロックすることによって、またはこれら両方によって、前記開口部において係止され、
前記第１のコネクタ要素（４）および前記第２のコネクタ要素（５）のうち一方のコネクタ要素は頭部（４１，５１）を含み、前記第１のコネクタ要素（４）および前記第２のコネクタ要素（５）のうち他方のコネクタ要素は脚部（５１，４１）を含み、前記第１のコネクタ要素（４）および前記第２のコネクタ要素（５）を前記開口部に対して相対的に配置するステップにおいて、前記頭部（４１，５１）を備えた前記一方のコネクタ要素（４，５）は、その一部が前記開口部内に到達しているが前記頭部（４１，５１）がその近位側に留まるように近位側から配置されており、前記他方のコネクタ要素（５，４）は、その一部が前記開口部内に到達しているが前記脚部（５１，４１）はそこから遠位側に留まるように遠位側から配置されている、方法。
【請求項２】
エネルギを衝突させる前記ステップは、前記流動部分を、前記第１のコネクタ要素（４）の構造（４６，４８）および前記第２のコネクタ要素（５）の構造（５６，５７，５８）に流れ込ませるステップを含み、再凝固した前記熱可塑性材料は、前記第１のコネクタ要素および前記第２のコネクタ要素を確実に嵌合する態様で互いに相対的にロックし、
前記構造（４６，４８，５６，５７，５８）は、少なくとも１つの溝もしくは隆起、窪みもしくは盛上りのパターン、巨視的な開放気孔率、またはこれらの組合せを含む、請求項１に記載の方法。
【請求項３】
エネルギを衝突させる前記ステップにおいて、前記第１のコネクタ要素（４）および前記第２のコネクタ要素（５）のいずれの材料も液化されず、
前記第１のコネクタ要素（４）および前記第２のコネクタ要素（５）はともに金属製である、請求項１または２に記載の方法。
【請求項４】
前記第１の物体（１）における前記開口部は貫通開口部であり、前記開口部において係止されている前記コネクタアセンブリは、前記開口部の全長にわたって貫通している、請求項１から３のいずれか一項に記載の方法。
【請求項５】
前記第１の物体（１）に機械的に接続されていることに加えて、前記コネクタは、第２の物体（２）にも機械的に接続されている、請求項１から４のいずれか一項に記載の方法。
【請求項６】
前記第２のコネクタ要素（５）は外管部分（５２）を含み、配置する前記ステップにおいて、前記第２のコネクタ要素（５）は、前記外管部分が前記第１のコネクタ要素（４）の区域を取り囲むように、前記第１のコネクタ要素（４）に対して相対的に配置されており、
前記流動部分は、前記外管部分（５２）の内面および前記取り囲まれた区域の外面に密着するまで流動する材料を含み、
前記第１のコネクタ要素（４）はシャフト部分（４２）を含み、前記第１のコネクタ要素（４）および前記第２のコネクタ要素（５）を配置する前記ステップの後、前記シャフト部分（４２）は、前記外管部分（５２）によって少なくとも部分的に取り囲まれており、これにより、前記取り囲まれた区域を構成する、請求項１から５のいずれか一項に記載の方法。
【請求項７】
前記第１のコネクタ要素（４）および前記第２のコネクタ要素（５）を配置する前記ステップは、前記外管部分（５２）と前記取り囲まれた区域との間に熱可塑性管要素（８）を配置するステップを含み、エネルギを衝突させる前記ステップにおいて、前記熱可塑性管要素を、その軸方向延在部が小さくなるまで少なくとも部分的に流動可能にし、前記熱可塑性材料は、少なくとも、前記外管部分（５２）の内面と前記取り囲まれた区域の外面とに密着しており、
前記第１のコネクタ要素（４）および前記第２のコネクタ要素（５）を配置する前記ステップは、前記外管部分（５２）を取り囲む外側の熱可塑性管要素（９）を配置するステップを含み、エネルギを衝突させる前記ステップにおいて、前記外側の熱可塑性管要素を、その軸方向延在部が小さくなるまで少なくとも部分的に流動可能にし、前記熱可塑性材料は、少なくとも、前記外管部分（５２）の外面と前記開口部の内面と密着している、請求項６に記載の方法。
【請求項８】
前記第１のコネクタ要素（４）は内管部分（４２）を含み、前記内管部分（４２）には窓があり、
前記第２のコネクタ要素（５）は、前記内管部分（４２）を少なくとも部分的に取り囲んでいる外管部分（５２）を含み、
前記外管部分（５２）には窓がある、請求項１から７のいずれか一項に記載の方法。
【請求項９】
前記エネルギは機械振動エネルギであり
前記エネルギを衝突させる前記ステップにおいて、ソノトロード（６）を用いて、同時に押圧力を加え、前記振動を前記熱可塑性材料に直接的または間接的に結合する、請求項１から８のいずれか一項に記載の方法。
【請求項１０】
接着剤（７０）を流動可能な状態で、前記第１の物体（１）、前記第１のコネクタ要素（４）および前記第２のコネクタ要素（５）に相対的に配置するステップと、前記接着剤（７０）を固化させるステップとを付加的に含み、
前記接着剤（７０）を固化させる前記ステップは、前記熱可塑性材料に前記エネルギを衝突させる作用によって前記接着剤（７０）を固化させるステップを含む、請求項１から９のいずれか一項に記載の方法。
【請求項１１】
配置する前記ステップは、前記開口部に対して相対的に前記コネクタ要素を配置するステップよりも前に、注入装置によって前記接着剤（７０）を分配するステップを含む、請求項１０に記載の方法。
【請求項１２】
配置する前記ステップは、前記接着剤（７０）を含むクッションを設けるステップと、前記クッションを前記第１の物体（１）および前記第１のコネクタ要素（４）および前記第２のコネクタ要素（５）に相対的に配置するステップとを含む、請求項１０または１１に記載の方法。
【請求項１３】
第１の物体（１）の開口部に接続させるためのコネクタ装置であって、前記装置は、第１のコネクタ要素（４）および第２のコネクタ要素（５）を含み、前記第１のコネクタ要素（４）および前記第２のコネクタ要素（５）は互いに相対的に移動可能であり、前記第２のコネクタ要素（５）は外管部分（５２）を含み、前記第１のコネクタ要素（４）は取り囲まれた区域を含み、前記取り囲まれた区域は、前記外管部分（５２）によって取り囲まれるように前記外管部分（５２）に挿入されるように形作られており、前記装置はさらに、前記第１のコネクタ要素（４）および前記第２のコネクタ要素（５）に相対的に配置することができる熱可塑性材料を含み、前記熱可塑性材料は、再凝固の後、前記外管部分（５２）と前記取り囲まれた区域とを確実な嵌合接続によって互いに相対的にロックさせるために、流動部分が流動可能になって前記第１のコネクタ要素（４）および前記第２のコネクタ要素（５）に直接接触するまで前記第１のコネクタ要素（４）および前記第２のコネクタ要素（５）に対して相対的に流れるようになるまで、エネルギの衝撃によって液化され、
前記第１のコネクタ要素（４）および前記第２のコネクタ要素（５）のうち一方のコネクタ要素は頭部（４１，５１）を含み、前記第１のコネクタ要素（４）および前記第２のコネクタ要素（５）のうち他方のコネクタ要素は脚部（５１，４１）を含み、前記頭部（４１，５１）を備えた前記一方のコネクタ要素（４，５）は、前記取り囲まれた区域または前記外管部分（５２）が各々前記開口部内に到達しているが前記頭部（４１，５１）がその近位側に留まるように前記開口部に対して近位側から相対的に配置することが可能であり、前記他方のコネクタ要素（５，４）は、前記外管部分（５２）または前記取り囲まれた区域が各々前記開口部内に到達しているが前記脚部（５１，４１）はそこから遠位側に留まるように遠位側から配置することが可能である、装置。
【請求項１４】
前記熱可塑性材料（８）の少なくとも一部を含む管形状の熱可塑性要素を含み、熱可塑性管要素は、前記外管部分（５２）と前記取り囲まれた区域との間に配置されるように形作られている、請求項１３に記載の装置。
【請求項１５】
前記第１のコネクタ要素（４）は、窓のある内管部分（４２）を含み、前記装置は、前記熱可塑性材料の少なくとも一部を含む熱可塑性要素（８）を含み、前記熱可塑性要素（８）は、前記内管部分（４２）の内部に挿入されるように形作られており、前記熱可塑性要素（８）のうち少なくとも一部が流動可能になって前記窓を通って外側に押されるまで、前記エネルギを衝突させながら停止面に押当てることができる、請求項１３または１４に記載の装置。
【手続補正２】
【補正対象書類名】図面
【補正対象項目名】図７
【補正方法】変更
【補正の内容】
【図７】
2018519477.tif 000001